(57)【特許請求の範囲】
【請求項１】
人工歯のための窪みを有する支持板を備えこの人工歯が対応する窪みに整合する歯根を備えている、特に練習用の歯科模型であり、歯肉材（２２）が歯列の歯（１６）と窪みの両方を包被し、歯（１６）はそれぞれ支持板（１２）の窪み（１７）内に取り外し可能に摩擦によって固定される歯科模型において、
歯はピン（２０）と歯肉材（２２）との型固定を形成しておりこれがそれぞれ支持板（１２）の型固定に対して作用することを特徴とする歯科模型。
【請求項２】
歯（１６）は窪み内に収容された歯槽頂（１４）上に弾力的に挟み付けられて保持されることを特徴とする請求項１記載の歯科模型。
【請求項３】
歯（１６）は支持板（１２）内に弾力的に付着するように保持されることを特徴とする請求項１または２に記載の歯科模型。
【請求項４】
歯（１６）は窪み（１７）内に実質的に遊びなく装着されることを特徴とする請求項１ないし３のいずれかに記載の歯科模型。
【請求項５】
窪み（１７）は支持板（１２）側から見て拡大していく側面を備え、歯（１６）はこの側面に整合する歯根（１８）を備えることを特徴とする請求項１ないし４のいずれかに記載の歯科模型。
【請求項６】
支持板（１２）において複数のピン（２０）と歯肉材（２２）との型固定が歯肉材（２２）を取り付けるために配置されるとともに歯肉材（２２）の型固定に整合し、特に接合する表面が互いに圧接することによって形成される請求項１ないし５のいずれかに記載の歯科模型。
【請求項７】
歯肉材（２２）と支持板（１２）の互いに対向する表面（２８，３０）は特に歯槽頂（１４）の領域に自然の歯肉に似せた軽い隆起および陥没を備えており、これによって装着を改善することを特徴とする請求項６記載の歯科模型。
【請求項８】
歯肉材（２２）は自然の歯肉に似せた隆起および陥没をその周囲面に備えることを特徴とする請求項１ないし７のいずれかに記載の歯科模型。
【請求項９】
歯（１６）は大量生産された歯に相当し層構造を有することを特徴とする請求項１ないし８のいずれかに記載の歯科模型。
【請求項１０】
大量生産された歯（１６）は歯根（１８）の部分で切断されており支持板（１２）内に形成された窪み（１７）の基底部のいくらか上まで延在していることを特徴とする請求項９記載の歯科模型。
【請求項１１】
歯（１６）は複合材すなわち充填材を充填した樹脂材料からなり、特にその硬度が自然歯の硬度に相当することを特徴とする請求項１ないし１０のいずれかに記載の歯科模型。
【請求項１２】
歯根（１８）および窪み（１７）はその形状および取り付け固定度において自然歯に対する自然の顎骨の固定度に相当することを特徴とする請求項１ないし１１のいずれかに記載の歯科模型。
【請求項１３】
支持板（１２）は歯肉材（２２）のための縁部接続低没部を備え、これによって歯肉材（２２）を支持板（１２）に平滑に接続させることを可能にすることを特徴とする請求項１ないし１２のいずれかに記載の歯科模型。
【請求項１４】
歯（１６）は使用後に支持板（１２）内のガイドから個別に取り外し可能であることを特徴とする請求項１ないし１３のいずれかに記載の歯科模型。
【請求項１５】
支持板（１２）は歯（１６）のための窪み（１７）に下から接続する孔（３１）の形式の貫通口を備えることを特徴とする請求項１ないし１４のいずれかに記載の歯科模型。
【請求項１６】
互いに隣接する少なくとも２本の歯（１６）の歯根（１８）が一致しているが少なくとも１本の他の歯根（１８）に対して相異していることを特徴とする請求項１ないし１５のいずれかに記載の歯科模型。
【請求項１７】
前歯（１８）は楕円形の横断面を有し、楕円の縦軸が歯槽頂（１４）に対して横断方向に延在することを特徴とする請求項１ないし１６のいずれかに記載の歯科模型。
【発明の詳細な説明】
【０００１】
【産業上の利用分野】
この発明は、特にう食部分の治療および窩洞への充填材料の付加の練習ならびに実演の目的に適した、請求項１前段に記載の歯科模型に関する。さらに、この歯科模型上において歯科医師が患者に施す全ての作業を実施することができる。
【０００２】
【従来の技術】
この種の練習用歯科模型は、例えば米国特許第３８８６６６１号公報によって知られている。この解決方式において、練習用歯セットは支持板内に装着可能である。多様な要素によって自然の顎の構造を模作することができる。歯を全体的に交換するに過ぎない既知の他の解決方式に対するこの解決方式の利点は、練習が終了するたびに処理した歯を交換することができ従ってランニングコストを削減できる点である。他方、この模型のために専用の歯を形成して保管する必要があり、従って特殊な保管が必要となる。
【０００３】
さらに、硬質の充填材料を柔軟な支持材料と組み合わせることによって歯科模型を構成することが提案されている。これによって自然の顎骨の支持剛性に似せたものとすることができ、ここでシリコンゴムを使用することによって、１本１本の歯を取り外すことが容易になるが不用意に外れることはない。この解決方式において、歯の挿入および製造自体も柔軟なものとすることができる。従って圧力がかかると歯は側方にずれ、この種の歯は例えばモデリング作業に適している。しかしながら、例えば、穿孔に際して部分的に極めて大きな横圧力がかかり、従ってこの種の柔軟に装着された顎模型は適格でない。
【０００４】
この種の歯科模型の別の問題点は歯が取り外し可能に装着されている点である。歯が柔軟な接着によって対応する歯根窪み内に装着されると、窪み内に進入するドリル屑によって接着特性がだんだんと劣化し、従って窪みを規則的に洗浄するかまたは模型をすぐに交換しなければならない。
【０００５】
歯を固定的に装着する歯科模型において、一方で歯の固定的な装着と他方では取り外し可能な支持を確立するため、特殊な連結を実現する必要がある。部分的に硬質で部分的に柔軟な窪み領域からなる既に提案された組み合わせの装着においても、ドリル屑は固定的な取り付け部分に生じた割れ目内に進入する。
【０００６】
【発明が解決しようとする課題】
従って本発明の目的は、個々の歯を簡便かつ確実に交換することができ、歯の装着安定性および固定性も向上させることができる、請求項１前段に記載の歯科模型を提供することである。歯科模型は複数回使用可能であるとともに形状および材質の点において患者の状態に応じて広範に適応させることができる。
【０００７】
【課題を解決するための手段】
前記の課題は本発明に従って請求項１によって解決される。下位請求項には好適な追加構成が示されている。
【０００８】
本発明の特に好適な特徴によれば、本発明に係る装着方式を使用して歯を支持板上に固定および支持することができる。同時に、支持板内の該当する窪み内への歯の装着の密封化が自動的に保持され、従ってこの重要な部分にドリル屑が進入することは全くない。従って、差し歯は、例えば歯科ドリルによってかけられる側方への圧力に対しても、長時間かつ安定的に硬質の材料からなる支持板上に固定される。さらに、歯肉材が歯を部分的に包囲し、従って患者の顎の模擬が可能となる。歯の支持は、一方で歯根によって他方では摩擦要素によって、歯の交換に際して他の歯に対して正確に同じ位置を取るよう作用される。
【０００９】
歯科模型の外観が自然に近いことが特に好適であり、ここで歯肉材は自然の歯肉に近いように着色することができる。歯肉材の固定圧力は必要に応じて広範囲に適応させることができる。従って、歯の型固定に対して作用して解除可能な固定を形成する型固定を設けることができる。歯肉材も支持板の型固定に対して作用する適宜な型固定を有することができる。支持板および歯の両方が突出したピンを備えており、歯肉材は適宜な孔部を備えている。この点に関して、歯に対する窪みを形成する人工の歯槽頂がその側面に粗目の表面を有することが特に好適である。これによって、支持板と歯肉材との間に一定のインターロックが形成されることが保持され、これは歯肉材を支持板に固定するよう作用する。
【００１０】
歯槽頂上へのまたは歯に対向しての固定に際しての歯肉材の引張は必要に応じて広範囲に適応させ得ることは勿論である。歯肉材は例えばピンク色に着色されたシリコンからなり、これはある程度透明であり、従ってこの歯科模型を練習目的で使用している担当歯科医が少なくとも前歯の領域の歯の軌道を見ることができる。
【００１１】
本発明によれば、大量生産された歯を本発明に係る歯科模型に使用し得る点が特に好適である。このため本発明に係る歯は既知の方式で多層式に構成され安価なプラスチックから製造された歯根を備える。しかしながら、好適には各歯は１つの材料から形成される。歯根は支持板の歯槽頂内の該当する窪み内に整合し、これによって窪みならびに歯根の両方の錐形の形状のため歯が既に固定的に取り付けられる。
【００１２】
窪みによって包囲されている歯根の領域に直ぐ近接して歯はピンまたは突起を備えており、これは側方に延在する。このピンあるいは突起は歯科模型内の極めて精密に整合するように形成された窪みに嵌合し、従って歯はこの摩擦要素によっても固定される。歯肉材は複数の位置に支持板に対して作用する型固定を備えており、従って歯ならびに模型に対して固定的に付着する。
【００１３】
本発明に係る模型は、上顎模型または下顎模型の両方として適用することができる。さらに、摩擦力ならびに窪みから誘導によって容易に解除することができ、従って歯は練習の後に容易に交換することができる。本発明によれば、基礎板を低価格なプラスチックから大量に生産できる点が特に好適である。加えて、支持板は咬合器内に装着することができ、従って咬合の模擬が可能となり例えばブリッジの加工に際して咬合を検査することができる。このため、１本または２本の歯を歯科模型から即座に除去することができ、その結果ブリッジ加工の作業モデルが形成される。
【００１４】
本発明の好適な特徴によれば、同一または互いに対応する歯については同じ形状の窪みおよび付属する歯根が設けられる。従って、歯科模型を形成するための異なった歯の形状を削減することができ、これにもかかわらず間違えの少ない挿入が可能になる。
【００１５】
本発明のその他詳細、特徴、ならびに利点は、添付図面を参照しながら以下に記述する実施例の説明によって明らかにされる。
【００１６】
【実施例】
図３の平面図に示された歯科模型１０は、図１にその主要な部分が断面図で示されている。この歯科模型は、支持板１２を備えており、これは一部品として形成されるとともに歯槽頂１４を有しており、この歯槽頂は歯１６を受容するために適するように形成された多数の窪みを備えている。
【００１７】
図１には、１本の歯が概略的に示されている。窪み１７は上方に向かって広がった斜めの側面を有する。歯１６は、これに対応する歯根１８を備えており、これは錐形に形成されている。歯根１８および窪み１７は円形ではなく楕円形に形成され、歯根１８と窪み１７の底部との間に一定の自由空間ができるように整合される。
【００１８】
小さな錐形角のため歯１６は既に窪み１７内に極めて良好に固定される。
【００１９】
ピン２０は歯根１８に直接的に接続して側方に延在し、これは以下に記述するように歯１６を正確に支持するよう作用する。ピン２０は歯槽頂１４上に配置され、ここで歯根１８と窪み１７の間の締め付け効果は影響を受けない。歯根１８の錐形角は２°ないし２０°、好適には５°ないし１２°、特に８°とする。この構成によって解除も可能な取り付けが保持される。
【００２０】
歯槽頂を包囲するとともに、これと歯１６の一部とを密着して被覆するように弾力的な材料が歯肉材２２として配設されており、これは支持板１２と歯１６との間の結合を保持する。歯肉材２２は歯肉色に着色されたシリコンからなり自然の歯肉が歯を包囲するのと同じ方式で歯を包囲している。歯槽頂１４は孔部２４を備えており、これに対してピン２０が精密に整合する。ピン２０は孔部２４の側面に対して型固定を有しており、歯１６を引き抜く際にはその柔軟な抵抗を超越する必要がある。
【００２１】
本発明によれば、孔部２４はカム形状のピン２０によって歯槽頂１４の上部に保持されることが特に好適である。そこにおいて歯槽頂はさらに柔軟であり、従って歯を引き抜くことが可能となる。窪み２４とピン２０との装着は窪み１７内に歯根１８を摩擦固定することによって補助される。
【００２２】
歯肉材２２は軽く伸張させて歯１６上に装着させることが好適である。このため、発生したドリル屑が装着溝部に侵入することはない。
【００２３】
さらに、歯肉材は歯槽頂１４に対向して形成された表面２８および３０を備えている。これらの表面は対応する歯槽頂１４の表面の陰板をなし、従って支持板１２と歯肉材２２との装着を安定化および向上させるよう作用する。
【００２４】
図１に示された実施例において、孔部または貫通口３１が支持板１２を貫通して設けられている。これは支持板１２の下面から窪み１７の略中央部分まで延在している。この孔部３１を介して例えば太針等の適宜な道具を使用することにより歯１６を押し出すことができる。この解決方式によって、支持板１２上に歯を極めて強固かつ穿設に際して安定するよう取り付けるにもかかわらずこの歯を容易に交換することができる。
【００２５】
さらに、歯肉材２２は支持板の上面３２の少し下まで延在している。このため支持板１２は適宜な縁部接続低没部を備え、歯肉材２２は図１に示されているように適宜に伸張されている。この構成により、汚れに対する敏感性を減少させると同時に支持を強化することができる。
【００２６】
図２には、歯肉材がさらに追加的にアンダカットを設けて支持板１２上に結合されていることが示されている。この関連において、歯槽頂１４の後端部上にはピン３４が設けられており、これは歯肉材２２の対応する孔部３６内に進入する。同様な接続部は歯槽頂上に複数配分して設けられており、従って歯肉材２２は全体として支持板１２上に良好に固定されているが、その柔軟性のため取り外し可能に取り付けられている。
【００２７】
図３に示されているように、歯肉材２２は実質的にＵ字形であるとともに支持板１２を介して延在している。歯１６は、実際には歯列として構成されている。支持部材１２の材料は極めて硬質だが安価な、例えばエポキシ樹脂等のプラスチック材料とする。しかしながら、歯槽頂１４の細身の構造のため一定の弾力性を有しており、従って担当する歯科医師は後で患者の口内の処置を行う時と同じ物理的条件を体験することができる。
【００２８】
歯１６は２つもしくはそれ以上の層から形成される。好適には切断層と象牙質とからなり、歯根１８はさらに別の層として形成される。切断層および象牙質層、ならびに場合によって歯頚は自然歯に極めて近い硬度を有し、従って歯科模型を使用して練習する学生に対して患者の口内で処置する場合に極めて近い条件が提供される。
【００２９】
歯１６は合成材料から形成され、それぞれ個別に製造される。このような材料は、例えばドイツ特許第２４０３２１１Ｃ２号公報またはドイツ特許第４０２９２３０Ｃ２号公報に記載されており、その開示内容は本発明の構成要素の一部ともなっている。
【図面の簡単な説明】
【図１】本発明に係る義歯床の詳細を示す、図３の線Ｉ−Ｉに沿った概略断面図である。
【図２】本発明に係る義歯床の詳細を示す、図３の線ＩＩ−ＩＩに沿った概略断面図である。
【図３】本発明に係る義歯床の一実施例を示す平面図である。
【符号の説明】
１０  歯科模型
１２  支持板
１４  歯槽頂
１６  歯
１７  窪み
１８  歯根
２０，３４  ピン
２２  歯肉材
２４  孔部
２８，３０  表面
３１  貫通口
３２  上面
【図１】
0003604648.tif 000002
【図２】
0003604648.tif 000003
【図３】
0003604648.tif 000004